(57)【要約】【課題】液状体の性状を問わず、安定して液滴吐出ヘッドから液滴を吐出させることができる圧力吸収装置　、この圧力吸収装置を有する吐出装置、この吐出装置により製造されるカラーフィルタやＥＬ素子を有する電気光学装置、基材を有するデバイス及びこの電気光学装置を有する電子機器を提供すること。【解決手段】圧力吸収装置２３の液滴導入口２３１Ａ、液滴導出口２３１Ｂ、流路２３１Ｃ及び圧力吸収部２３１Ｄを、液状体に対する耐食性材料により構成する。また、液滴導出口２３１Ｂと液滴吐出ヘッド２２の供給管２２１Ａとの間に設けられるゴムブッシュ２４も、液状体に対する耐食性を有する耐食性材料で構成する。【選択図】　図２
2004034561.tif 000002
【特許請求の範囲】
【請求項１】
流動性を有した液状体を被吐出物上に吐出する液滴吐出ヘッドと、この液滴吐出ヘッドに液状体を供給する液滴タンクとの間に配置され、前記液滴タンクから前記液滴吐出ヘッドへ供給される液状体の圧力変動を吸収する圧力吸収装置であって、
前記液滴タンクに接続される液滴導入口と、前記液滴吐出ヘッドに接続される液滴導出口と、これらを結ぶ流路と、この流路に連通した圧力吸収部とを備え、
前記液滴導入口、液滴導出口、流路及び圧力吸収部は、少なくとも前記液状体と接する面が前記液状体に対する耐食性を有する材料により形成されてなる
ことを特徴とした圧力吸収装置。
【請求項２】
請求項１に記載の圧力吸収装置において、
前記耐食性材料は、ポリエチレン、ポリプロピレン、フッ素樹脂、ポリオキシメチレン、環状オレフィンコポリマ及びポリパラフェニレンベンゾオキサゾールのうちの少なくとも何れか一つである
ことを特徴とした圧力吸収装置。
【請求項３】
流動性を有した液状体を供給する液滴タンクと、前記液滴タンクから供給された液状体を被吐出物上に吐出する液滴吐出ヘッドとを有した吐出装置であって、
前記液滴タンクと前記液滴吐出ヘッドとの間には、請求項１または２に記載の圧力吸収装置が設けられた
ことを特徴とした吐出装置。
【請求項４】
請求項３に記載の吐出装置において、
前記圧力吸収装置の液滴導出口と、前記液滴吐出ヘッドとはゴムブッシュを介して連結され、
少なくとも、前記ゴムブッシュの液状体と接する面は、前記液状体に対する耐食性を有する材料で構成されている
ことを特徴とした吐出装置。
【請求項５】
請求項４に記載の吐出装置において、
前記耐食性材料はフッ素ゴム、フッ素樹脂、エラストマ、ブチルゴム及びシリコンゴムのうちの少なくとも何れか一つである
ことを特徴とした吐出装置。
【請求項６】
エレクトロルミネッセンス素子を有する電気光学装置であって、
前記エレクトロルミネッセンス素子は、電極が複数設けられた基板及びこの基板上に前記電極に対応して複数設けられたエレクトロルミネッセンス発光層を備え、
前記エレクトロルミネッセンス発光層は、エレクトロルミネッセンス発光材料を含有する液状体が請求項３から５の何れかに記載の吐出装置から前記基板上に吐出されることにより形成された
ことを特徴とする電気光学装置。
【請求項７】
カラーフィルタを有する電気光学装置であって、
前記カラーフィルタは、基板と、この基板上に形成された異なる色のカラーフィルタ層とを備え、
前記カラーフィルタ層は、所定の色のカラーフィルタ材料を含有する液状体が請求項３から５の何れかに記載の吐出装置から前記基板上に吐出されることにより形成された
ことを特徴とする電気光学装置。
【請求項８】
基材と、この基材上に吐出された流動性を有する液状体とを有するデバイスであって、
前記液状体は、請求項３から５の何れかに記載の吐出装置から前記基板上に吐出された
ことを特徴とするデバイス。
【請求項９】
請求項６または７に記載の電気光学装置を具備した
ことを特徴とする電子機器。
【発明の詳細な説明】
【０００１】
【発明の属する技術分野】
本発明は、圧力吸収装置、この圧力吸収装置を有する吐出装置、この吐出装置により製造されるカラーフィルタやエレクトロルミネッセンス（ＥｌｅｃｔｒｏＬｕｍｉｎｅｓｃｅｎｃｅ；ＥＬ）素子を有する電気光学装置、基材を有するデバイス及びこの電気光学装置を有する電子機器に関する。
【０００２】
【背景技術】
近年、カラーフィルタやＥＬ素子等を用いた電気光学装置が広く用いられている。カラーフィルタやＥＬ素子は、基板上にフィルタ材料や、ＥＬ発光材料をドット状に吐出して、塗布することで形成されている。具体的には、液滴吐出ヘッドを基板上で複数回主走査させながら、液滴吐出ヘッドからフィルタ材料や、ＥＬ発光材料を含有する液滴を吐出している。
液滴吐出ヘッドの走査中には、液滴吐出ヘッド内の液滴や、液滴吐出ヘッドと液滴タンクとを結ぶチューブ内の液滴に加速度が加わり、液滴の供給圧力が変動してしまうため、安定した液滴の吐出が困難となる。そこで、従来からインクジェットプリンター用の吐出装置に設けられている圧力吸収装置をカラーフィルタや、ＥＬ素子の製造の際に使用する方法が考えられている。
【０００３】
【発明が解決しようとする課題】
しかし、この圧力吸収装置は、水溶性の液状体に対する耐食性しか有しておらず、特殊な溶剤等を使用するカラーフィルタや、ＥＬ素子の製造に使用した場合には、圧力吸収装置が損傷する虞がある。
【０００４】
本発明の目的は、このような問題に鑑みて、液状体の性状を問わず、安定して液滴吐出ヘッドから液滴を吐出させることができる圧力吸収装置　、この圧力吸収装置を有する吐出装置、この吐出装置により製造されるカラーフィルタやＥＬ素子を有する電気光学装置、基材を有するデバイス及びこの電気光学装置を有する電子機器を提供することである。
【０００５】
【課題を解決するための手段】
そのため、本発明は以下の構成を採用して前記目的を達成しようとするものである。
具体的には、本発明の圧力吸収装置は、流動性を有した液状体を被吐出物上に吐出する液滴吐出ヘッドと、この液滴吐出ヘッドに液状体を供給した液滴タンクとの間に配置され、前記液滴タンクから前記液滴吐出ヘッドへ供給される液状体の圧力変動を吸収する圧力吸収装置であって、前記液滴タンクに接続される液滴導入口と、前記液滴吐出ヘッドに接続される液滴導出口と、これらを結ぶ流路と、この流路に連通した圧力吸収部とを備え、前記液滴導入口、液滴導出口、流路及び圧力吸収部は、少なくとも前記液状体と接する面が前記液状体に対する耐食性を有する材料により形成されてなることを特徴とする。
【０００６】
ここで、圧力吸収装置は、液滴導入口、液滴導出口、流路及び圧力吸収部の液状体と接する面のみが耐食性材料で被覆されていてもよく、また、全体が耐食性材料で構成されていてもよい。
本発明では、液状体が接する面が耐食性材料で覆われているため、液状体と接する面の腐食等による圧力吸収装置の損傷を防止できる。従って、液状体の性状を問わず、液滴吐出ヘッドから安定して液滴を吐出させることが可能となる。このように、安定して液滴を吐出できるので、不良品の発生率を低減でき、生産性も向上することができる。
【０００７】
この際、前記耐食性材料は、ポリエチレン、ポリプロピレン、フッ素樹脂、ポリオキシメチレン、環状オレフィンコポリマ及びポリパラフェニレンベンゾオキサゾールのうちの少なくとも何れか一つであることが好ましい。
フッ素樹脂としては、例えば、テトラフルオロエチレン−パーフルオロアルキルビニルエーテル共重合体（Ｔｅｔｒａ　Ｆｌｕｏｒｏ　Ｅｔｈｙｌｅｎｅ　Ｐｅｒｆｌｕｏｒｏａｌｋｙｌｖｉｎｙｌｃｏｐｏｌｙｍｅｒ；ＰＦＡ）、ポリテトラフルオロエチレン（Ｐｏｌｙ　Ｔｅｔｒａ　Ｆｌｕｏｒｏ　Ｅｔｈｙｌｅｎｅ；ＰＴＦＥ）、ポリ三フッ化塩化エチレン（Ｐｏｌｙ　Ｃｈｌｏｒｏ　Ｔｒｉ　Ｆｌｕｏｒｏ　Ｅｔｈｙｌｅｎｅ；ＰＣＴＦＥ）等があげられる。
ＥＬ素子を製造する際には、耐食性材料として、ポリエチレン（ｐｏｌｙｅｔｈｙｌｅｎｅ；ＰＥ）、ポリプロピレン（Ｐｏｌｙｐｒｏｐｙｌｅｎｅ；ＰＰ）、フッ素樹脂、ポリオキシメチレン（Ｐｏｌｙｏｘｙｍｅｔｈｙｌｅｎｅ；ＰＯＭ）、環状オレフィンコポリマ（ＣＯＣ）、ポリパラフェニレンベンゾオキサゾール（Ｐｏｌｙ（ｐ−ｐｈｅｎｙｌｅｎｅ−２，６−ｂｅｎｚｏｂｉｓｏｘａｚｏｌｅ）；ＰＢＯ）を使用できる。また、カラーフィルタを製造する際には、ポリプロピレン、環状オレフィンコポリマを使用することが特に好ましい。
例えば、ＥＬ素子やカラーフィルタの製造には、ＥＬ発光材料や、カラーフィルタ材料を特殊な有機溶剤に溶かした液状体を使用するため、上述した耐食性材料を使用することで、圧力吸収装置をＥＬ素子やカラーフィルタの製造に使用できる。
【０００８】
本発明の吐出装置は、流動性を有した液状体を供給する液滴タンクと、前記液滴タンクから供給された液状体を被吐出物上に吐出する液滴吐出ヘッドとを有した吐出装置であって、前記液滴タンクと前記液滴吐出ヘッドとの間には、請求項１または２に記載の圧力吸収装置が設けられたことを特徴とする。
このような吐出装置は、前述した圧力吸収装置を有しており、同様の作用、効果を奏することができる。つまり、液状体の性状を問わず、安定して液滴吐出ヘッドから液滴を吐出できる。
【０００９】
この際、前記圧力吸収装置の液滴導出口と、前記液滴吐出ヘッドとはゴムブッシュを介して連結され、少なくとも、前記ゴムブッシュの液状体と接する面は、前記液状体に対する耐食性を有する材料で構成されていることが好ましい。
ここで、ゴムブッシュは、液状体と接する面が耐食性材料で構成されていればよい。従って、ゴムブッシュ全体を耐食性材料で成形してもよく、あるいは、柔軟性を有するゴム材料、例えばシリコンゴム等に耐食性材料をコーティングした２層構造としてもよい。
圧力吸収装置と、液滴吐出ヘッドとをつなぐゴムブッシュも耐食性材料で構成することで、吐出装置の耐食性を向上させることができる。
【００１０】
さらに、前記耐食性材料はフッ素ゴム、フッ素樹脂、エラストマ、ブチルゴム及びシリコンゴムのうちの少なくとも何れか一つであることが好ましい。
ゴムブッシュは、圧力吸収装置の液滴導出口等の周囲に密着して液状体の漏れを防ぐものである。そのため、ゴムブッシュは、圧力吸収装置の液滴導出口を差し込んだ際、液滴導出口の形状に応じて変形可能な程度の柔軟性を有することが好ましい。この点を考慮すると、ゴムブッシュ全体を耐食性材料で成形する場合、フッ素ゴム、エラストマ、ブチルゴム、シリコンゴムが好適である。ここで、フッ素ゴムとしては、フッ化ビニリデン系（ＦＫＭ）、テトラフルオロエチレンプロピレン系（ＦＥＰＭ）、テトラフルオロエチレンパーフルオロビニルエーテル系（ＦＦＫＭ）のものがあげられる。中でも、フッ素ゴムの一種で、高い耐食性、耐熱性を有するパーフルオロゴム（いわゆるパーフルオロエラストマも含む）を使用することが特に好ましい。
一方、ゴムブッシュをゴム材料に耐食性材料をコーティングした２層構造とする場合には、ゴム材料との密着性が必要とされるため、フッ素樹脂が特に好ましい。
【００１１】
本発明の電気光学装置は、エレクトロルミネッセンス素子を有する電気光学装置であって、前記エレクトロルミネッセンス素子は、電極が複数設けられた基板及びこの基板上に前記電極に対応して複数設けられたエレクトロルミネッセンス発光層を備え、前記エレクトロルミネッセンス発光層は、エレクトロルミネッセンス発光材料を含有する液状体が請求項３から５の何れかに記載の吐出装置から前記基板上に吐出されることにより形成されたこと、あるいは、カラーフィルタを有する電気光学装置であって、前記カラーフィルタは、基板と、この基板上に形成された異なる色のカラーフィルタ層とを備え、前記カラーフィルタ層は、所定の色のカラーフィルタ材料を含有する液状体が請求項３から５の何れかに記載の吐出装置から前記基板上に吐出されることにより形成されたことを特徴とする。
電子光学装置のＥＬ素子やカラーフィルタは、前述した吐出装置により生産効率よく製造されているため、電子光学装置の生産性の向上も図ることができる。
【００１２】
本発明のデバイスは、基材と、この基材上に吐出された流動性を有する液状体とを有するデバイスであって、前記液状体は、請求項３から５の何れかに記載の吐出装置から前記基板上に吐出されたことを特徴とする。
本発明の吐出装置は、流動性を有する液状体を被吐出物である基材上に吐出して基材を有するデバイスを製造することに適している。デバイスの液状体は、前述した吐出装置により安定して吐出されているため、デバイスの生産性を向上できる。
【００１３】
本発明の電子機器は、請求項６または７に記載の電気光学装置を有することを特徴とする。
ここで、電子機器としては、上述した電気光学装置を液晶パネル等の表示装置として使用したパソコンや携帯電話等が考えられる。
上述した電子光学装置を有することで、電気光学装置と同様の作用効果を享受することができる。
【００１４】
【発明の実施の形態】
以下、本発明の実施形態を図面に基づいて説明する。
［製造装置１の構成］
図１には、カラーフィルタの製造に使用される製造装置１が示されている。
製造装置１は、吐出装置２を３つ備えている。吐出装置２は、カラーフィルタ４の基板４１上にカラーフィルタ材料を含有する液状体（図４参照）を吐出させるものであり、３つの吐出装置２はそれぞれ赤、青、緑の液状体を吐出する。
【００１５】
また、製造装置１は、主走査装置１１と、基板位置制御装置１４とを有している。
主走査装置１１は、後述する吐出装置２の液滴吐出ヘッド２２及び圧力吸収装置２３を保持するものである。駆動モータ１２に制御回路１３から駆動信号が供給されると主走査装置１１が駆動し、液滴吐出ヘッド２２及び圧力吸収装置２３がＹ軸方向に移動する。
基板位置制御装置１４は、カラーフィルタ４の基板４１を保持するものである。駆動モータ１５に制御回路１３から駆動信号が供給されると基板位置制御装置１４が駆動し、基板４１がＸ軸方向に移動する。
【００１６】
［吐出装置２の構成］
図２及び図３には、吐出装置２が示されている。
吐出装置２は、液状体を供給する液滴タンク２１と、液滴タンク２１から供給された液状体を吐出する液滴吐出ヘッド２２とを有している。この液滴タンク２１と液滴吐出ヘッド２２との間には、圧力吸収装置２３が設けられている。
【００１７】
圧力吸収装置２３は、液滴タンク２１から液滴吐出ヘッド２２へ供給される液状体の圧力変動を吸収するためのものである。この圧力吸収装置２３は、圧力吸収装置本体２３１と、フィルム２３２と、フィルタ２３４とを有する。
【００１８】
圧力吸収装置本体２３１には、液滴タンク２１にチューブ２１１を介して接続される液滴導入口２３１Ａと、液滴吐出ヘッド２２に接続される液滴導出口２３１Ｂとが形成されている。液滴導出口２３１Ｂは２つ設けられており、各液滴導出口２３１Ｂは、ゴムブッシュ２４を介して液滴吐出ヘッド２２に形成された２つの供給管２２１Ａにそれぞれ接続されている。
ゴムブッシュ２４は、図示しないが内部に流路が形成されており、液滴導出口２３１Ｂや供給管２２１Ａが差し込まれる部分には、円周方向に突起が形成されている。ゴムブッシュ２４に液滴導出口２３１Ｂや供給管２２１Ａを嵌め込むと、突起が潰れて液滴導出口２３１Ｂや供給管２２１Ａの周囲をシールするようになっている。
このようなゴムブッシュ２４は、液状体に対する耐食性を有する耐食性材料で構成されている。耐食性材料としては、例えば、パーフルオロゴム、エラストマ、ブチルゴム及びシリコンゴムがあげられる。
【００１９】
また、圧力吸収装置本体２３１には、液滴導入口２３１Ａ及び液滴導出口２３１Ｂを結ぶ溝状の流路２３１Ｃと、この流路２３１Ｃと連通した圧力吸収部２３１Ｄとが形成されている。
流路２３１Ｃは、液滴導入口２３１Ａからの液状体を圧力吸収部２３１Ｄまで導く第一の流路２３１Ｃ’と、圧力吸収部２３１Ｄからの液状体を液滴導出口２３１Ｂまで導く第二の流路（図示略）とを備えている。
第二の流路は二つに分岐しており、それぞれが各液滴導出口２３１Ｂにつながっている。
圧力吸収部２３１Ｄと第二の流路との境目には、フィルタ２３４が超音波溶着により取り付けられている。このフィルタ２３４は、第二の流路にゴミや気泡を流入させないために設けられたものである。フィルタ２３４は、液状体に対する耐食性を有する樹脂、例えば、ポリプロピレン、環状オレフィンコポリマ、ポリエチレンやＳＵＳ等で形成されている。
【００２０】
さらに、圧力吸収装置本体２３１には、その流路２３１Ｃ及び圧力吸収部２３１Ｄを覆うようにフィルム２３２が熱溶着される。このフィルム２３２は、液状体に対する耐食性を有する耐食性材料、例えば、ポリプロピレン、ポリエチレン、ポリエチレンとナイロンとの積層フィルムで形成されている。
このような、圧力吸収装置２３の液滴導入口２３１Ａ、液滴導出口２３１Ｂ、流路２３１Ｃ及び圧力吸収部２３１Ｄは、液状体に対する耐食性材料で構成されている。耐食性材料としては、例えば、ポリプロピレン、環状オレフィンコポリマ、ポリエチレンがあげられる。また、耐食性材料は、このような樹脂一種類から構成されるものであってもよく、２種類以上混合した樹脂から構成されるものであってもよい。
【００２１】
液滴吐出ヘッド２２は、供給管２２１Ａが形成され、液状体が供給されるヘッドフレーム２２１と、このヘッドフレーム２２１に取り付けられる振動板２２２と、この振動板２２２に固定される振動子２２３とを有する。
振動板２２２は、樹脂フィルム（図示略）と、この樹脂フィルムに固着された金属製の枠部（図示略）とを有しており、この枠部がヘッドフレーム２２１に固着されている。振動板２２２の下方には、圧力発生室２２５Ａが形成されたスペーサ２２５が設けられている。さらに、このスペーサ２２５の下方には、液状体をジェット状に噴射するためのノズル２２６Ａが設けられたノズルプレート２２６が設けられている。
【００２２】
振動子２２３は、その一方の面がヘッドフレーム２２１の内面に接着される制振板２２７に取り付けられている。また、振動子２２３の電極はフィルム基板２５を介して、回路基板２６につながっている。
【００２３】
このような液滴吐出ヘッド２２からは次の様にして液状体が吐出される。
振動子２２３の電極に回路基板２６から約３０Ｖの電圧を加減することで振動子２２３が伸縮し、これに伴い振動板２２２が振動する。振動板２２２が振動すると振動板２２２に形成された圧力発生室２２５Ａの容積が変化して圧力が発生する。この圧力により液状体がノズル２２６Ａから吐出される。
【００２４】
［カラーフィルタ４の構成及び製造］
図４（ｄ）には、上述した製造装置１を用いて製造されたカラーフィルタ４が示されている。カラーフィルタ４は、ガラス、プラスチックなどによって形成された方形状の基板４１と、この基板４１の表面に、液状体をドットパターン状に塗布したカラーフィルタ層４２とを備えている。このカラーフィルタ層４２上には、保護膜４３が積層されている。
【００２５】
図４を参照してカラーフィルタ４の製造方法について説明する。
予め隔壁４１１が形成された基板４１（図４（ａ））を製造装置１の基板位置制御装置１４に保持させる。隔壁４１１は、透光性のない樹脂材料によって形成されており、例えば格子パターン状に配置されている。
制御回路１３により、駆動モータ１２が駆動すると、主走査装置１１が駆動して液滴吐出ヘッド２２及び圧力吸収装置２３が基板４１上を一往復する。この際、液滴吐出ヘッド２２から隔壁４１１間に液状体の液滴が供給される。
【００２６】
次に、駆動モータ１５により基板位置制御装置１４が駆動して基板４１が所定距離Ｘ軸方向に移動する。再度、駆動モータ１２により主走査装置１１が駆動すると、液滴吐出ヘッド２２及び圧力吸収装置２３が基板４１上を一往復する。この操作が繰り返されることで全ての隔壁４１１間に液状体が供給される（図４（ｂ））。
なお、図４（ｂ）において、符号４２ＲはＲ（赤）の色を有する液状体を示し、符号４２ＧはＧ（緑）の色を有する液状体を示し、そして符号４２ＢはＢ（青）の色を有する液状体を示している。
【００２７】
隔壁４１１間に所定量の液状体が充填されると、ヒータ（図示略）によって基板４１を加熱して、液状体の溶媒を蒸発させる。この蒸発により、図４（ｃ）に示すように液状体の体積が減少し、平坦化する。体積の減少が激しい場合には、カラーフィルタ４として十分な膜厚が得られるまで、液状体の供給と加熱蒸発とを繰り返して実行する。以上の処理により、最終的に液状体の固形分のみが残留して膜化し、これにより、カラーフィルタ層４２が完成する。
【００２８】
以上により、カラーフィルタ層４２を形成した後、このカラーフィルタ層４２を完全に乾燥させるために、所定の温度で所定時間の加熱処理を実行する。その後、カラーフィルタ層４２を保護する保護膜４３を形成する。保護膜４３は、製造装置１を用いて成膜してもよく、その他の方法、例えば、スピンコート法、ロールコート法、リッピング等といった手法を用いて成膜してもよい。
【００２９】
［液晶装置５の構成］
このようにして製造されたカラーフィルタ４は、図５に示すような電気光学装置である液晶装置５に使用される。
液晶装置５は、液晶パネル５１に半導体チップとしての液晶駆動用ＩＣ５２Ａおよび液晶駆動用ＩＣ（図示略）を実装し、配線接続要素としてのＦＰＣ（Ｆｌｅｘｉｂｌｅ　Ｐｒｉｎｔｅｄ　Ｃｉｒｃｕｉｔ）５３を液晶パネル５１に接続する。さらに、液晶装置５は、液晶パネル５１の裏面側に照明装置５４をバックライトとして設けることによって形成される。
【００３０】
液晶パネル５１は、第１基板５１１と第２基板５１２とをシール材５１３によって貼り合わせることによって形成される。
第１基板５１１は透明なガラスや、透明なプラスチックなどによって形成された板状の基材５１１Ａを有する。この基材５１１Ａの内側表面（図７の上側表面）には反射膜５１１Ｂが形成され、その上に絶縁膜５１１Ｃが積層され、その上に第１電極５１１Ｄが形成され、さらにその上に配向膜５１１Ｅが形成される。
【００３１】
第２基板５１２は透明なガラスや、透明なプラスチックなどによって形成された板状の基材５１２Ａを有する。この基材５１２Ａの内側表面（図７の下側表面）にはカラーフィルタ４が設けられ、その上に第２電極５１２Ｄが形成され、さらにその上に配向膜５１２Ｅが形成される。
【００３２】
この液晶装置５は、図６に示すようなパーソナルコンピュータ５００Ａや、図７に示すような携帯電話５００Ｂ等の電子機器に組み込まれる。
【００３３】
従って、本実施形態によれば、以下の効果を奏することができる。
（１）　圧力吸収装置２３の液滴導入口２３１Ａ、液滴導出口２３１Ｂ、流路２３１Ｃ及び圧力吸収部２３１Ｄは、耐食性材料で構成されているため、液状体と接する面の腐食による圧力吸収装置２３の損傷を防止できる。また、この圧力吸収装置２３により、液状体の圧力変動が吸収されるので、液滴吐出ヘッド２２から安定して液滴を吐出させることが可能となる。従って、カラーフィルタ４の不良品の発生率を低減させ、カラーフィルタ４の生産効率を向上させることができる。
【００３４】
（２）　圧力吸収装置２３に使用される耐食性材料として、ポリエチレン、ポリプロピレン、環状オレフィンコポリマを使用しており、これらの樹脂はカラーフィルタ４の液状体に対する耐食性が特に高いものであるため、より効果的に圧力吸収装置２３の損傷を防止することができる。
【００３５】
（３）　さらに、液滴導入口２３１Ａ、液滴導出口２３１Ｂ、流路２３１Ｃ及び圧力吸収部２３１Ｄの全体を耐食性材料で構成したため、液状体と接する面のみに耐食性材料を塗布する場合に比べ、圧力吐出装置２３の製造に手間を要しない。
【００３６】
（４）　圧力吸収装置２３と、液滴吐出ヘッド２２とをつなぐゴムブッシュ２４は、液状体に対する耐食性を有する耐食性材料で構成されている。従って、吐出装置２をより耐食性の高いものとすることができる。
【００３７】
（５）　さらに、ゴムブッシュ２４の耐食性材料は、パーフルオロゴム、エラストマ、ブチルゴム及びシリコンゴムであり、耐食性のみならず、柔軟性を有している。従って、液滴導出口２３１Ｂ等をゴムブッシュ２４に差し込むと、形成された突起が潰れ、液滴導出口２３１Ｂ等をシールすることができるので、液状体漏れを確実に防止することができる。
【００３８】
（６）　また、圧力吸収部２３１Ｄと第二の流路との境目に取り付けられるフィルタ２３４も液状体に対する耐食性を有する樹脂、例えば、ポリプロピレン、環状オレフィンコポリマ、ポリエチレンやＳＵＳ等で形成したため、さらに、圧力吸収装置２３の耐食性を高めることができる。
【００３９】
（７）　また、液晶装置５のカラーフィルタ４は、前述した吐出装置２により生産効率よく製造されているため、液晶装置５、さらには、この液晶装置５が組み込まれたパーソナルコンピュータ５００Ａや携帯電話５００Ｂ等の電子機器の生産性の向上も図ることができる。
【００４０】
次に、本発明の第２実施形態を説明する。尚、以下の説明では、既に説明した部分と同一の部分については、同一符号を付してその説明を省略する。
【００４１】
［発光装置７の構成］
図８に示すように、電気光学装置である発光装置７は、複数の走査線７０１と、走査線７０１に対して交差する方向に延びる複数の信号線７０２と、信号線７０２に並列に延びる複数の電源線７０３とがそれぞれ配線された構成とされている。
走査線７０１および信号線７０２の各交点付近には、画素領域Ａが設けられている。
信号線７０２には、シフトレジスタ、レベルシフタ、ビデオラインおよびアナログスイッチを備えるデータ側駆動回路７０４が接続されている。
走査線７０１には、シフトレジスタおよびレベルシフタを備える走査側駆動回路７０５が接続されている。
【００４２】
画素領域Ａの各々には、走査線７０１を介して走査信号がゲート電極に供給されるスイッチング用の薄膜トランジスタ７２２と、このスイッチング用の薄膜トランジスタ７２２を介して信号線７０２から共有される画素信号を保持する保持容量ｃａｐと、該保持容量ｃａｐによって保持された画素信号がゲート電極に供給される駆動用の薄膜トランジスタ７２３と、この駆動用薄膜トランジスタ７２３を介して電源線７０３に電気的に接続したときに当該電源線７０３から駆動電流が流れる有機ＥＬ素子（表示素子）７０が設けられている。
発光装置７は、走査線７０１が駆動されてスイッチング用の薄膜トランジスタ７２２がオンになると、そのときの信号線７０２の電位が保持容量ｃａｐに保持され、保持容量ｃａｐに状態に応じて、駆動用の薄膜トランジスタ７２３のオン・オフ状態が決まるようになっている。
発光装置７は、駆動用の薄膜トランジスタ７２３のチャネルを介して、電源線７０３から画素電極７１１に駆動電流が流れると、この電流が機能層７１０を介して陰極７２に流れ、機能層７１０が電流値に応じて発光するようになっている。
【００４３】
図９〜図１１に示すように、発光装置７では、基板８上に表示素子７０が形成され、その上に封止部９が形成されている。
基板８は、ガラス等からなる透明な基体６上に、回路素子部７４が形成された構成とされている。
図１０及び図１１に示すように、回路素子部７４では、基体６上にシリコン酸化物からなる下地保護膜６ｃが形成され、この下地保護膜６ｃ上に、多結晶シリコンからなる島状の半導体膜７４１が形成されている。
回路素子部７４には、以下の構成を有する薄膜トランジスタ７２３が形成されている。
半導体膜７４１には、ソース領域７４１ａおよびドレイン領域７４１ｂが高濃度Ｐイオン打ち込みにより形成されている。Ｐが導入されていない部分はチャネル領域７４１ｃとなっている。
【００４４】
回路素子部７４には、下地保護膜６ｃおよび半導体膜７４１を覆う透明なゲート絶縁膜７４２が形成され、ゲート絶縁膜７４２上にはＡｌ、Ｍｏ、Ｔａ、Ｔｉ、Ｗ等からなるゲート電極７４３（走査線７０１）が形成され、ゲート電極７４３およびゲート絶縁膜７４２上には透明な第１層間絶縁膜７４４ａと第２層間絶縁膜７４４ｂが形成されている。
ゲート電極７４３は、半導体膜７４１のチャネル領域７４１ｃに対応する位置に設けられている。
【００４５】
図１１に示すように、第１および第２層間絶縁膜７４４ａ、７４４ｂには、半導体膜７４１のソース、ドレイン領域７４１ａ、７４１ｂにそれぞれ接続されるコンタクトホール７４５、７４６が形成されている。
第２層間絶縁膜７４４ｂに形成されたコンタクトホール７４５は、第２層間絶縁膜７４４ｂ上に設けられた画素電極７１１に接続されている。第１層間絶縁膜７４４ａに形成されたコンタクトホール７４６は、電源線７０３に接続されている。
【００４６】
図９および図１０に示すように、回路素子部７４内には、走査側駆動回路７０５、７０５に接続される駆動回路用制御信号配線７０５ａと駆動回路用電源配線７０５ｂとが設けられている。
回路素子部７４には、前述の保持容量ｃａｐおよびスイッチング用の薄膜トランジスタ７２２が形成されている。
【００４７】
表示素子７０は、複数の画素電極７１１と、その上に設けられた発光素子部７１と、その上に設けられた陰極７２（対向電極）とを備えている。
図１０および図１１に示すように、画素電極７１１は、例えばＩＴＯから形成され、平面視略矩形にパターニングされて形成されている。この画素電極７１１の厚さは、５０〜２００ｎｍの範囲が好ましく、特に１５０ｎｍ程度が望ましい。
発光素子部７１は、画素電極７１１上にそれぞれ形成された機能層７１０と、各機能層７１０を区画するバンク部７１２とを主体として構成されている。
【００４８】
図１１に示すように、機能層７１０は、画素電極７１１上に積層された正孔注入／輸送層７１０ａと、正孔注入／輸送層７１０ａ上に隣接して形成された発光層７１０ｂ（ＥＬ発光層）とから構成されている。
正孔注入／輸送層７１０ａは、発光層７１０ｂの発光効率、寿命等の素子特性を高めるためのもので、正孔を発光層７１０ｂに注入する機能を有するとともに、正孔を正孔注入／輸送層７１０ａ内部において輸送する機能を有する。
正孔注入／輸送層７１０ａの材料としては、例えばポリエチレンジオキシチオフェン等のポリチオフェン誘導体とポリスチレンスルホン酸等の混合物を用いることができる。
【００４９】
この正孔注入／輸送層７１０ａは、画素電極７１１上に正孔注入／輸送層７１０ａの材料を含有する液状体を塗布することで形成されている。具体的には、カラーフィルタ４の製造時と同様に、主走査装置１１及び基板位置制御装置１４を駆動して行う。
ここで、前記実施形態では、圧力吸収装置２３の圧力吸収部２３１Ｄ等に使用される耐食性材料をポリプロピレン等としたが、正孔注入／輸送層７１０ａを成形する際には、環状オレフィンコポリマ、ポリパラフェニレンベンゾオキサゾール、ポリオキシメチレン、ポリプロピレン等を使用する。また、フィルタ２３４もこれらの樹脂またはＳＵＳ等を使用する。さらに、ゴムブッシュ２４には、前記実施形態と同様、例えば、パーフルオロゴム、エラストマ、ブチルゴム及びシリコンゴムを使用する。
【００５０】
発光層７１０ｂは、正孔注入／輸送層７１０ａから注入された正孔と、陰極７２から注入される電子とが再結合し、発光が得られるようになっている。
図９に示すように、発光層７１０ｂは、赤色発光層Ｒと、緑色発光層Ｇと、青色発光層Ｂとからなる。
発光層７１０ｂの材料としては、有機発光材料、例えばトリス（８−キノリノール）アルミニウム錯体（Ａｌｑ）等を用いることができる。
【００５１】
ここでも、発光層７１０ｂは、有機発光材料を含有する液状体を吐出装置２の液滴吐出ヘッド２２から吐出させることで形成される。この際、圧力吸収装置２３の圧力吸収部２３１Ｄ等に使用される耐食性材料は、フッ素樹脂、ポリオキシメチレン、ポリプロピレンであることが好ましい。また、フィルタ２３４もこれらの樹脂またはＳＵＳ等を使用する。さらに、ゴムブッシュ２４には、例えば、フッ素ゴムを使用することが好ましく、中でもパーフルオロゴム（パーフロロエラストマを含む）を使用することが特に好ましい。
【００５２】
バンク部７１２は、基板８側に位置する無機物バンク層７１２ａ（第１バンク層）と、基板８から離れて位置する有機物バンク層７１２ｂ（第２バンク層）とが積層されて構成されている。
無機物バンク層７１２ａの一部、および有機物バンク層７１２ｂの一部は、画素電極７１１の周縁部上に形成されている。
すなわち、無機物バンク層７１２ａは、画素電極７１１の周縁部に平面的に重なるように形成されている。有機物バンク層７１２ｂも同様に、画素電極７１１の周縁部に平面的に重なる位置に形成されている。
【００５３】
無機物バンク層７１２ａは、有機物バンク層７１２ｂよりも画素電極７１１の中央側に達するように形成されている。
無機物バンク層７１２ａは、例えば、ＳｉＯ２、ＴｉＯ２等の無機材料からなることが好ましい。この無機物バンク層７１２ａの厚さは、５０〜２００ｎｍの範囲が好ましく、特に１５０ｎｍ程度が望ましい。
有機物バンク層７１２ｂは、耐熱性、耐溶媒性のある材料、例えばアクリル樹脂、ポリイミド樹脂等から形成されている。この有機物バンク層７１２ｂの厚さは、０．１〜３．５μｍの範囲が好ましく、特に２μｍ程度が望ましい。
【００５４】
図９および図１０に示すように、陰極７２は、矩形状とされ、発光素子部７１の全面を覆うように形成されている。
陰極７２は、例えば、カルシウムなどからなる第１層７２ａと、アルミニウムなどからなる第２層７２ｂとが積層された構成とすることができる。
第２層７２ｂは、発光層７１０ｂから発した光を基体６側に反射させるもので、Ａｌ、Ａｇを用いることができる。第２層７２ｂは、Ａｌ層とＡｇ層からなる積層膜としてもよい。
第２層７２ｂ上には、ＳｉＯ、ＳｉＯ２、ＳｉＮ等からなる酸化防止用の保護層を設けてもよい。
陰極７２は、メカニカルマスクなどを用いて蒸着法、スパッタ法、ＣＶＤ法等で形成することができる。
【００５５】
図９および図１０に示すように、基板８は、略矩形状に形成され、内側（基板中央側）に位置する矩形状の表示領域６ａと、表示領域６ａの外側（基板周縁側）に位置する非表示領域６ｂとに区画されている。
なお、符号６ｄは、非表示領域６ｂにおいて、表示領域６ａに隣接する位置に形成されたダミー表示領域である。
以下の説明において、上方および下方とは、図９における上方および下方を指し、右方および左方は、図９における右方および左方を指す。
基板８の下辺８ｄには、フレキシブル基板８０が取り付けられ、フレキシブル基板８０上には駆動ＩＣ８１が設けられている。
【００５６】
表示領域６ａは、マトリックス状に配置された発光素子部７１が形成される領域であり、有効表示領域ともいう。
非表示領域６ｂにおいて、表示領域６ａの右方および左方に相当する位置の回路素子部７４には、走査側駆動回路７０５（走査側駆動回路７０５Ｒ、７０５Ｌ）が設けられている。
右側の走査側駆動回路７０５Ｒの右方、および左側の走査側駆動回路７０５Ｌの左方に相当する位置の回路素子部７４内には、走査側駆動回路７０５Ｒ、７０５Ｌに接続される駆動回路用制御信号配線７０５ａおよび駆動回路用電源配線７０５ｂが設けられている。
【００５７】
表示領域６ａの上方には、検査回路７０６が設けられ、製造途中や出荷時の発光装置の品質、欠陥の検査を行うことができるようになっている。
検査回路７０６の上方、および右側の駆動回路用制御信号配線７０５ａの右方に相当する位置の回路素子部７４には、緑色に発光する発光層７１０ｂに接続される電源線７０３（第１電源線７０３Ｇ）が形成されている。
第１電源線７０３Ｇは、検査回路７０６の上方において左右に延びる第１部分７０３Ｇ１と、駆動回路用制御信号配線７０５ａの右方において上下に延びる第２部分７０３Ｇ２とからなるＬ字状に形成されている。
【００５８】
電源線７０３Ｇの第１部分７０３Ｇ１の上方、および第２部分７０３Ｇ２の右方に相当する位置の回路素子部７４には、青色に発光する発光層７１０ｂに接続される電源線７０３（第２電源線７０３Ｂ）が形成されている。
第２電源線７０３Ｂは、第１部分７０３Ｇ１の上方において左右に延びる第１部分７０３Ｂ１と、第２部分７０３Ｇ２の右方において上下に延びる第２部分７０３Ｂ２とからなるＬ字状に形成されている。
【００５９】
電源線７０３Ｂの第１部分７０３Ｂ１の上方、および左側の駆動回路用制御信号配線７０５ａの左方に相当する位置の回路素子部１４には、赤色に発光する発光層７１０ｂに接続される電源線７０３（第３電源線７０３Ｒ）が形成されている。
第３電源線７０３Ｒは、第１部分７０３Ｂ１の上方において左右に延びる第１部分７０３Ｒ１と、駆動回路用制御信号配線７０５ａの左方において上下に延びる第２部分７０３Ｒ２とからなるＬ字状に形成されている。
電源線７０３の外側（基板周縁側）には、陰極７２に接続された陰極用配線７３（対向電極用配線）が形成されている。
【００６０】
陰極用配線７３は、第３電源線７０３Ｒの第１部分７０３Ｒ１の上方に形成された第１部分７３ａと、電源線７０３Ｒの第２部分７０３Ｒ２の左方に形成された第２部分７３ｂと、第２電源線７０３Ｂの第２部分７０３Ｂ２の右方に形成された第３部分７３ｃとからなるコ字状に形成されている。
この発光装置７において、第１部分７３ａは、矩形状の基板８の上部に、上辺８ａに沿って左右方向に延在するように形成されている。第１部分７３ａの一端部および他端部は、それぞれ上辺８ａの一端部近傍および他端部近傍に達している。
【００６１】
第２部分７３ｂは、矩形状の基板８の左部に、左辺８ｂに沿って上下方向に延在するように形成されている。第２部分７３ｂの一端部および他端部は、それぞれ左辺８ｂの一端部近傍および他端部近傍に達している。
第３部分７３ｃは、矩形状の基板８の右部に、右辺８ｃに沿って上下方向に延在するように形成されている。第３部分７３ｃの一端部および他端部は、それぞれ右辺８ｃの一端部近傍および他端部近傍に達している。
陰極用配線７３は、陰極７２の周縁７２ｃよりも内側（基板中央側）に設けるのが好ましい。
すなわち、陰極用配線７３は、周縁７３ｅ（第１部分７３ａの上縁、第２部分７３ｂの左縁、および第３部分７３ｃの右縁）が、陰極７２の周縁７２ｃよりも基板中央側に位置するように形成するのが好ましい。
【００６２】
陰極用配線７３の周縁７３ｅと、陰極７２の周縁７２ｃとの距離は、１ｍｍ以上（好ましくは２ｍｍ以上）とするのが好適である。
この距離がこの範囲を下回ると、陰極７２の形成位置にずれが生じたときに、陰極７２と陰極用配線７３との接触面積が小さくなり、これらの間の電気抵抗が大きくなるおそれがある。
陰極用配線７３の幅は、電源線７０３の幅（第１〜第３電源線７０３Ｇ、７０３Ｂ、７０３Ｒの幅の合計）以上に設定するのが好ましい。
陰極用配線７３の幅がこの範囲を下回ると、機能層７１０を流れる電流が低下しやすくなるため好ましくない。
【００６３】
陰極用配線７３の下端部７３ｄ、７３ｄ（第２および第３部分７３ｂ、７３ｃの下端部）は、接続配線８０ａを介して、フレキシブル基板８０上の駆動ＩＣ８１（駆動回路）に接続されている。
陰極用配線７３は、複数の配線層が積層された構成とすることができる。
これら配線層の材料としては、Ａｌ、Ｍｏ、Ｔａ、Ｔｉ、Ｗ、Ｃｕ、ＴｉＮ、およびこれらの合金を挙げることができる。
陰極用配線７３は、走査線７０１を形成する材料と信号線７０２を形成する材料のうち少なくとも一方により形成することもできる。
この材料としては、例えばＡｌ、Ｍｏ、Ｔａ、Ｔｉ、Ｗ、Ｃｕ、ＴｉＮ、およびこれらの合金を挙げることができる。
表示領域６ａ、走査側駆動回路７０５、駆動回路用制御信号配線７０５ａ、駆動回路用電源配線７０５ｂ、検査回路７０６、電源線７０３、陰極用配線７３は、陰極７２の周縁７２ｃよりも内側（基板中央側）に形成されている。
すなわち、表示領域６ａ、走査側駆動回路７０５、駆動回路用制御信号配線７０５ａ、駆動回路用電源配線７０５ｂ、検査回路７０６、電源線７０３、陰極用配線７３は、陰極７２に覆われるように形成されている。
【００６４】
図１０に示すように、封止部９は、外気中の水や酸素などによって陰極７２および発光素子部７１が酸化するのを防止するものであり、缶封止基板９４と、缶封止基板９４を基板８に接合する封止樹脂９３とから構成されている。
缶封止基板９４は、ガラス、金属、合成樹脂等からなるもので、下面側には、表示素子７０を収納する凹部９４ａが設けられている。
凹部９４ａには水、酸素等を吸収するゲッター剤層９５を形成するのが好ましい。
缶封止基板９４は、その周縁部において封止樹脂９３を介して基板８に接合されている。
封止樹脂９３は、熱硬化樹脂、紫外線硬化樹脂等からなり、特に、熱硬化樹脂の１種であるエポキシ樹脂からなることが好ましい。
封止部９は、陰極７２を覆うように形成するのが好ましい。
すなわち、封止樹脂９３の周縁９３ａが、陰極７２の周縁７２ｃよりも外側（基板周縁側）に位置するように形成するのが好ましい。
【００６５】
この発光装置７においては、駆動用の薄膜トランジスタ７２３のチャネルを介して、電源線７０３から画素電極７１１に駆動電流が流れると、この電流が機能層７１０、陰極７２を経て陰極用配線７３に流れ、機能層７１０が電流値に応じて発光する。
機能層７１０から基体６側に発した光は、回路素子部７４および基体６を透過して観測者側に出射される。
機能層７１０から陰極７２側に発した光は、陰極７２により反射されて、回路素子部７４および基体６を透過して観測者側に出射される。
なお、陰極７２として、透明な材料を用いることにより、光を陰極側から出射させることができる。透明な材料としては、ＩＴＯ、Ｐｔ、Ｉｒ、Ｎｉ、Ｐｄを用いることができる。
【００６６】
なお、本発明は前述の実施の形態に限定されるものではなく、本発明の目的を達成できる範囲での変形、改良等は本発明に含まれるものである。
例えば、前記各実施形態では、製造装置１をカラーフィルタ４や表示素子７０の製造に使用していたが、用途はこれらの製造に限られず、例えば、プリント回路基板の電気配線を形成するために、液状金属や導電性材料、金属含有塗料などを吐出して金属配線などをする構成、基材上に形成される微細なマイクロレンズを吐出にて光学部材を形成する構成、基板上に塗布するレジストを必要な部分だけに塗布するように吐出する構成、プラスチックなどの透光性基板などに光を散乱させる凸部や微小白パターンなどを吐出形成して光散乱板を形成する構成、液晶パネルに使用される液晶材料を基材上に塗布する構成、液晶パネルの配向膜を吐出にて形成する構成、試薬検査装置などのように、ＤＮＡ（ｄｅｏｘｙｒｉｂｏｎｕｃｌｅｉｃａｃｉｄ；デオキシリボ核酸）チップ上にマトリクス配列するスパイクスポットにＲＮＡ（ｒｉｂｏｎｕｃｌｅｉｃ　ａｃｉｄ；リボ核酸）を吐出させて蛍光標識プローブを作製してＤＮＡチップ上でハイブリタゼーションさせるなど、基材に区画されたドット状の位置に、試料や抗体、ＤＮＡ（ｄｅ　ｏｘｙｒｉｂｏｎｕｃｌｅｉｃ　ａｃｉｄ；デオキシリボ核酸）などを吐出させてバイオチップを形成する構成などにも利用できる。
【００６７】
前記各実施形態では、電気光学装置はパーソナルコンピュータ５００Ａや携帯電話５００Ｂみ込まれるとしたが、例えば、電子手帳、ページャ、ＰＯＳ（Ｐｏｉｎｔ　Ｏｆ　Ｓａｌｅｓ）端末、ＩＣカード、ミニディスクプレーヤ、液晶プロジェクタ、エンジニアリング・ワークステーション（Ｅｎｇｉｎｅｅｒｉｎｇ　Ｗｏｒｋ　Ｓｔａｔｉｏｎ；ＥＷＳ）、ワードプロセッサ、テレビ、ビューファインダ型またはモニタ直視型のビデオテープレコーダ、電子卓上計算機、カーナビゲーション装置、タッチパネルを備えた装置、時計、ゲーム機器などの様々な電子機器に組み込まれてもよい。
【００６８】
さらに、前記各実施形態では、図２に示したような電気的な信号に基づき、液滴を吐出する吐出装置２に圧力吸収装置２３を組み込んだが、これに限られず、空気圧により液滴を吐出する方式の吐出装置に圧力吸収装置２３を組み込んでもよい。
【００６９】
また、前記実施形態では、圧力吸収部２３１Ｄ等全体が耐食性材料により構成されているとしたが、本発明では、少なくとも、液状体に接する面が耐食性材料で構成されていればよい。従って、圧力吸収部２３１Ｄ等を耐食性を有しない樹脂で形成し、液状体が接する面にのみ前述した耐食性材料をコーティングしてもよい。このようにすれば、耐食性材料の使用量が少量で済むため、製造コストの低減を図ることができる。
【００７０】
さらに、前記実施形態では、耐食性材料として、ポリエチレン、ポリプロピレン、フッ素樹脂、ポリオキシメチレン、環状オレフィンコポリマ及びポリパラフェニレンベンゾオキサゾール等をあげたがこれらには限られない。すなわち、耐食性材料は液状体に対する耐食性を有するものであればよく、例えば、表１に示すように液状体に応じて適宜選択すればよい（表１において○は特に適している、△は適している、×は適していないことを示している。）。
【００７１】
【表１】
2004034561.tif 000003
【００７２】
また、吐出装置２に設けられたゴムブッシュ２４は、ゴムブッシュ２４自体がフッ素ゴム、エラストマ、ブチルゴム、シリコンゴムから構成されているとしたが、ゴムブッシュは、シリコンゴム等の柔軟性を有するゴム材料に耐食性材料をコーティングした２層構造であってもよい。２層構造とする場合には、ゴム材料との密着性が必要とされるため、耐食性材料としてフッ素樹脂をコーティングすることが好ましい。
また、耐食性材料としては、これらに限られず、例えば表２に示すように液状体に応じて適宜選択すればよい（表２において○は特に適している、△は適している、×は適していないことを示している。）。
【００７３】
【表２】
2004034561.tif 000004
【００７４】
さらに、ゴムブッシュ２４の液状体と接する面を耐食性材料で構成しなくてもよい。本発明では、圧力吸収装置２３の液滴導入口２３１Ａ、液滴導出口２３１Ｂ、流路２３１Ｃ及び圧力吸収部２３１Ｄの液状体と接する面が耐食性材料で構成されていればよいからである。
【００７５】
【発明の効果】
このような本発明によれば、液状体の性状を問わず、安定して液滴吐出ヘッドから液滴を吐出させることができる圧力吸収装置　、この圧力吸収装置を有する吐出装置、この吐出装置により製造されるカラーフィルタやＥＬ素子を有する電気光学装置、基材を有するデバイス及びこの電気光学装置を有する電子機器を提供することができるという効果がある。
【図面の簡単な説明】
【図１】本発明の第一実施形態にかかる製造装置を示す斜視図である。
【図２】吐出装置を示す分解斜視図である。
【図３】前記吐出装置の斜視図である。
【図４】前記製造装置により製造されるカラーフィルタを示す断面図である。
【図５】前記カラーフィルタを有する電気光学装置を示す断面図である。
【図６】前記電気光学装置を具備したパーソナルコンピュータを示す斜視図である。
【図７】前記電気光学装置を具備した携帯電話を示す斜視図である。
【図８】本発明の第二実施形態の発光装置の回路図である。
【図９】前記発光装置の画素領域の平面構造を示す平面図である。
【図１０】図９のＡ−Ｂ方向の断面図である。
【図１１】図１０の要部を示す断面図である。
【符号の説明】
１　　　　　製造装置
２　　　　　吐出装置
２２　　　　液滴吐出ヘッド
２３　　　　圧力吸収装置
２４　　　　ゴムブッシュ
２３１Ｂ　　液滴導出口
２３１Ｄ　　圧力吸収部
２３１Ｃ　　流路
２３１Ａ　　液滴導入口
４　　　　　カラーフィルタ
４１　　　　基板
４２　　　　カラーフィルタ層
５　　　　　液晶装置
５００Ａ　　パーソナルコンピュータ
５００Ｂ　　携帯電話
７　　　　　発光装置
７０　　　　表示素子
７１０ｂ　　発光層
【図１】
2004034561.tif 000005
【図２】
2004034561.tif 000006
【図３】
2004034561.tif 000007
【図４】
2004034561.tif 000008
【図５】
2004034561.tif 000009
【図６】
2004034561.tif 000010
【図７】
2004034561.tif 000011
【図８】
2004034561.tif 000012
【図９】
2004034561.tif 000013
【図１０】
2004034561.tif 000014
【図１１】
2004034561.tif 000015